(57)【要約】【解決課題】読取対象の複数の原稿が同じ組の原稿のみから構成されているか否かをユーザが確認する手間を省くことができるようにする。【解決手段】画像読取部によって、原稿を読み取って原稿画像を生成し（１３４）、画像読取部によって読み取られた原稿に付されたＲＦＩＤタグから、リーダライタによって原稿識別情報及びページ番号情報を読み取る（１３６）。そして、１ページ前の原稿のＲＦＩＤタグから読み取られた原稿識別情報と現在読み取り対象となっている原稿の原稿識別情報とが異なる場合には（１４４）、警告画面を操作パネル部に表示させる（１５０）。また、読み取られた原稿のページ番号情報が昇順となっていない場合には（１４６）、警告画面を操作パネル部に表示させる（１５０）。【選択図】図５
2007150573.tif 000002
【特許請求の範囲】
【請求項１】
同じ組に含まれる複数の原稿の各々に共通の原稿識別情報及びページ番号を示すページ番号情報が記憶された記録素子が付された複数の原稿を連続して読み取る原稿読取手段と、
前記記録素子に記憶された前記原稿識別情報及び前記ページ番号情報を読み取る記憶素子情報読取手段と、
前記記憶素子情報読取手段によって読み取られた前記原稿識別情報が、共通の原稿識別情報でないとき、警告を報知し、
前記記憶素子情報読取手段によって読み取られた前記ページ番号情報のページ番号が、昇順又は降順になっていないとき、警告を報知する報知手段と、
を含む画像読取装置。
【請求項２】
請求項１記載の画像読取装置と、
前記原稿読取手段によって読み取られた原稿の画像を、記録素子が付された記録用紙上に複写する複写手段と、
前記記録素子に原稿識別情報及びページ番号情報を書き込む書き込み手段と、
を含む複写装置。
【請求項３】
同じ組に含まれる複数の原稿の各々に共通の原稿識別情報及びページ番号を示すページ番号情報が記憶された記録素子が付された複数の原稿を連続して読み取り、
前記記録素子に記憶された前記原稿識別情報及び前記ページ番号情報を読み取り、
前記読み取られた前記原稿識別情報が、共通の原稿識別情報でないとき、警告を報知し、
前記読み取られた前記ページ番号情報のページ番号が、昇順又は降順になっていないとき、警告を報知することを特徴とする画像読取方法。
【請求項４】
画像読取装置を、
同じ組に含まれる複数の原稿の各々に共通の原稿識別情報及びページ番号を示すページ番号情報が記憶された記録素子が付された複数の原稿を連続して読み取る原稿読取手段、
前記記録素子に記憶された前記原稿識別情報及び前記ページ番号情報を読み取る記憶素子情報読取手段、及び
前記記憶素子情報読取手段によって読み取られた前記原稿識別情報が、共通の原稿識別情報でないとき、警告を報知し、
前記記憶素子情報読取手段によって読み取られた前記ページ番号情報のページ番号が、昇順又は降順になっていないとき、警告を報知する報知手段
として機能させるためのプログラム。
【発明の詳細な説明】
【技術分野】
【０００１】
この発明は、画像読取装置、複写装置、画像読取方法、及びプログラムに係り、特に、複数の原稿を連続して読み取る画像読取装置、該画像読取装置を用いた複写装置、画像読取方法、及びプログラムに関する。
【背景技術】
【０００２】
従来、複写機などの複写装置では、同じ組からなる複数の原稿から連続して画像を読み取って複写するように利用されることが多い。このとき、複数の原稿において、ページが欠けている場合や、他の組の原稿が混入している場合があるため、複数の原稿に対して複写動作を行う前に、ユーザが、読取対象の複数の原稿に誤りがないか否かを確認しなければならなかった。
【０００３】
そこで、ユーザの原稿を確認する手間を省略できる画像処理装置として、複数枚を一部とする原稿の複写を行う際、原稿に記録されているページ順情報を読み取り、ページ順に誤りがある場合には原稿のページ順が誤りである旨の警告を出す画像処理装置が知られている（特許文献１）。
【特許文献１】特開平１１−２２０５５７号公報
【発明の開示】
【発明が解決しようとする課題】
【０００４】
しかしながら、特許文献１に記載の画像処理装置では、複数の原稿に他の組の原稿が混入していても、ページ番号の順番が正しければ警告が出されないため、ユーザは、原稿が同じ組の原稿のみから構成されているか否かを確認しなければならなかった、という問題がある。
【０００５】
本発明は、上記の問題点を解決するためになされたもので、読取対象の複数の原稿が同じ組の原稿のみから構成されているか否かをユーザが確認する手間を省くことができる画像読取装置、複写装置、画像読取方法、及びプログラムを提供することを目的とする。
【課題を解決するための手段】
【０００６】
上記の目的を達成するために本発明に係る画像読取装置は、同じ組に含まれる複数の原稿の各々に共通の原稿識別情報及びページ番号を示すページ番号情報が記憶された記録素子が付された複数の原稿を連続して読み取る原稿読取手段と、前記記録素子に記憶された前記原稿識別情報及び前記ページ番号情報を読み取る記憶素子情報読取手段と、前記記憶素子情報読取手段によって読み取られた前記原稿識別情報が、共通の原稿識別情報でないとき、警告を報知し、前記記憶素子情報読取手段によって読み取られた前記ページ番号情報のページ番号が、昇順又は降順になっていないとき、警告を報知する報知手段とを含んで構成されている。
【０００７】
本発明に係る画像読取装置によれば、原稿読取手段によって、同じ組に含まれる複数の原稿の各々に共通の原稿識別情報及びページ番号を示すページ番号情報が記憶された記録素子が付された複数の原稿を連続して読み取り、そして、記憶素子情報読取手段によって、記録素子に記憶された原稿識別情報及びページ番号情報を読み取る。
【０００８】
そして、記憶素子情報読取手段によって読み取られた原稿識別情報が、共通の原稿識別情報でないとき、報知手段によって、警告を報知する。また、記憶素子情報読取手段によって読み取られたページ番号情報のページ番号が、昇順又は降順になっていないとき、報知手段によって、警告を報知する。
【０００９】
従って、複数の原稿に付された記憶素子に記憶された原稿識別情報を読み取り、読み取った原稿識別情報が共通の原稿識別情報でないとき、警告を報知することにより、読取対象の複数の原稿が同じ組に含まれる原稿のみから構成されているか否かをユーザが確認する手間を省くことができる。
【００１０】
なお、原稿読取手段による原稿の読み取りと、記憶素子情報読取手段による原稿識別情報及びページ番号情報の読み取りとは、何れが先に行われてもよい。
【００１１】
また、上記の記録素子を、例えば、ＲＦＩＤタグとすることができ、これにより、情報の読み書きを高速で容易に実行することができる。
【００１２】
また、本発明に係る複写装置は、上記の画像読取装置と、前記原稿読取手段によって読み取られた原稿の画像を、記録素子が付された記録用紙上に複写する複写手段と、前記記録素子に原稿識別情報及びページ番号情報を書き込む書き込み手段とを含んで構成されている。
【００１３】
本発明に係る複写装置によれば、原稿読取手段によって、同じ組に含まれる複数の原稿の各々に共通の原稿識別情報及びページ番号を示すページ番号情報が記憶された記録素子が付された複数の原稿を連続して読み取り、そして、記憶素子情報読取手段によって、記録素子に記憶された原稿識別情報及びページ番号情報を読み取る。
【００１４】
そして、原稿読取手段によって読み取られた原稿の画像を、複写手段によって記録用紙上に複写し、そして、書き込み手段によって記録用紙に付与された記録素子に、原稿識別情報及びページ番号情報を書き込む。
【００１５】
また、記憶素子情報読取手段によって読み取られた原稿識別情報が、共通の原稿識別情報でないとき、報知手段によって、警告を報知する。また、記憶素子情報読取手段によって読み取られたページ番号情報のページ番号が、昇順又は降順になっていないとき、報知手段によって、警告を報知する。
【００１６】
従って、複数の原稿に付された記憶素子に記憶された原稿識別情報を読み取り、読み取った原稿識別情報が共通の原稿識別情報になっていないとき、警告を報知することにより、複数の原稿の画像を記憶用紙に複写するときに、読取対象の複数の原稿が同じ組に含まれる原稿のみから構成されているか否かをユーザが確認する手間を省くことができる。
【００１７】
なお、記録用紙に対する、複写手段による画像の複写と、書き込み手段による原稿識別情報及びページ番号情報の書き込みとは、何れが先に行われてもよい。
【００１８】
また、本発明に係る画像読取方法は、同じ組に含まれる複数の原稿の各々に共通の原稿識別情報及びページ番号を示すページ番号情報が記憶された記録素子が付された複数の原稿を連続して読み取り、前記記録素子に記憶された前記原稿識別情報及び前記ページ番号情報を読み取り、前記読み取られた前記原稿識別情報が、共通の原稿識別情報でないとき、警告を報知し、前記読み取られた前記ページ番号情報のページ番号が、昇順又は降順になっていないとき、警告を報知することを特徴としている。
【００１９】
また、本発明に係るプログラムは、画像読取装置を、同じ組に含まれる複数の原稿の各々に共通の原稿識別情報及びページ番号を示すページ番号情報が記憶された記録素子が付された複数の原稿を連続して読み取る原稿読取手段、前記記録素子に記憶された前記原稿識別情報及び前記ページ番号情報を読み取る記憶素子情報読取手段、及び前記記憶素子情報読取手段によって読み取られた前記原稿識別情報が、共通の原稿識別情報でないとき、警告を報知し、前記記憶素子情報読取手段によって読み取られた前記ページ番号情報のページ番号が、昇順又は降順になっていないとき、警告を報知する報知手段として機能させるためのプログラムとなっている。
【００２０】
本発明に係る画像読取方法及びプログラムによれば、同じ組に含まれる複数の原稿の各々に共通の原稿識別情報及びページ番号を示すページ番号情報が記憶された記録素子が付された複数の原稿を連続して読み取ると共に、記録素子に記憶された原稿識別情報及びページ番号情報を読み取る。
【００２１】
そして、読み取られた原稿識別情報が、共通の原稿識別情報でないとき、警告を報知し、読み取られたページ番号情報のページ番号が、昇順又は降順になっていないとき、警告を報知する。
【００２２】
従って、複数の原稿に付された記憶素子に記憶された原稿識別情報を読み取り、読み取った原稿識別情報が共通の原稿識別情報でないとき、警告を報知することにより、読取対象の複数の原稿が同じ組に含まれる原稿のみから構成されているか否かをユーザが確認する手間を省くことができる。
【発明の効果】
【００２３】
以上説明したように、本発明の画像読取装置、複写装置、画像読取方法、及びプログラムによれば、複数の原稿に付された記憶素子に記憶された原稿識別情報を読み取り、読み取った原稿識別情報が共通の原稿識別情報でないとき、警告を報知することにより、読取対象の複数の原稿が同じ組に含まれる原稿のみから構成されているか否かをユーザが確認する手間を省くことができる、という効果が得られる。
【発明を実施するための最良の形態】
【００２４】
以下に、本発明の実施の形態について図面を参照して説明する。なお、本実施の形態では、複写装置に本発明を適用した場合を例に説明する。
【００２５】
図１に示すように、本発明の第１の実施の形態に係る複写装置１０には、上部に蓋１２が開閉可能に設けられ、蓋１２には、自動原稿送り装置（図示省略）が設けられ、蓋１２の原稿置き台１４に置かれた原稿は、原稿自動送り装置によって自動的に蓋１２内の原稿送り通路（図１における破線参照）に送り込まれて原稿排出台１６へ排出されるようになっている。また、蓋１２内には、上記の原稿送り通路を通る原稿に記録された画像を光学的に読み取る画像読取部１８が設けられている。
【００２６】
なお、複写装置１０内には、蓋１２の画像読取部１８とは別の画像読取部（図示省略）が設けられており、この画像読取部は、蓋１２を開いて複写装置１０の上面のガラス面に置かれた原稿の画像を読み取るようになっている。
【００２７】
また、複写装置１０内には、記録用紙を収容する複数個のトレイ２０が挿抜可能に設けられており、トレイ２０に収容された記録用紙は、自動給紙装置によって自動的に印字用紙送り通路（図１における実線参照）に送り込まれて印字用紙排出トレイ２２に排出されるようになっている。
【００２８】
また、印字用紙送り通路中に、光ビーム静電式転写方式の画像形成部２６が配置されており、画像形成部２６は、光ビームを画像データに応じて射出させながら像担持体としての感光体ドラム２８に光ビームを走査して、感光体ドラム２８の周面上に静電潜像を形成するようになっている。そして、トナーが装填された現像器（図示省略）によって、感光体ドラム２８に形成された静電潜像を現像し、感光体ドラム２８に形成されたトナー像を記録用紙に転写し、トナー像が転写された記録用紙は、定着器（図示省略）によってトナー像が定着される。
【００２９】
上記の複数個のトレイ２０のうち、所定の１個のトレイには、図２に示すＲＦＩＤタグ付き記録用紙ＲＰが収納されており、この記録用紙ＲＰの所定の位置には、データを読み書き可能で、そのデータを電波によって送受信するＲＦＩＤタグ３０が付されている。
【００３０】
ＲＦＩＤタグ３０には、所定のプログラムが記憶されているＲＯＭ、ＣＰＵ、消去可能な不揮発性メモリとしてのＥＥＰＲＯＭ、電波信号を送受信するためのアンテナが設けられている。
【００３１】
なお、このＲＦＩＤタグ３０のアンテナは、フィルムに印刷手段によって設けられ、ＲＯＭ、ＣＰＵ、ＥＥＰＲＯＭは小チップにして上記フィルムに実装され、そしてこのフィルムが記録用紙ＲＰの中に埋め込まれている。
【００３２】
また、蓋１２の原稿送り通路の途中には、第１のリーダライタ３２が設けられている。また、複写装置１０の印字用紙送り通路の近くには、感光体ドラム２８よりも上流に位置する第２のリーダライタ３６が設けられている。
【００３３】
また、第１のリーダライタ３２及び第２のリーダライタ３６は、送信用アンテナ、受信用アンテナ、及び制御回路を含んで構成され、ＲＦＩＤタグ３０と通信する場合には、制御回路によって、キャリア信号を電力用電波信号として送信アンテナから送信し、その後、送信すべきデータ信号を電力用電波信号に重畳するように変調して送信アンテナから送信する。また、ＲＦＩＤタグ３０から電波信号を受信する場合には、電波信号を受信アンテナで受信し、電波信号を復調してデータを取得する。
【００３４】
次に、複写装置１０の電気的構成について図３を用いて説明する。複写装置１０には、ＣＰＵ４０、揮発性のシステムメモリとしてのＲＡＭ４２、各種プログラムを記憶するＲＯＭ４４、画像データや、ＯＳ、後述する印刷処理ルーチン及び複写処理ルーチンを含む各種プログラムを記憶するハードディスク４６、ネットワーク（図示省略）と接続するためのネットワークインタフェース４８、複写装置１０の各種処理を指示するための操作ボタンや操作パネルからなる操作パネル部５０、画像読取部１８、第１のリーダライタ３２、画像形成部２６、第２のリーダライタ３６、及びこれらを相互に接続するための入出力ポート５２が設けられている。
【００３５】
なお、複写装置１０は、従来公知のプリンタやスキャナなどの複写装置の一般的な構成や機能を備えていればよく、複写装置１０の他の構成や一般的な機能について、詳細な説明を省略する。
【００３６】
次に、本発明の第１の実施の形態に係る複写装置１０の作用について説明する。まず、ユーザがクライアントＰＣ（図示省略）を操作することによって、ネットワークを介して、ＲＦＩＤタグ付き記録用紙ＲＰに対する文書データの印刷指示を複写装置１０に入力すると、複写装置１０において、ＣＰＵ４０によって図４に示す印刷処理ルーチンが実行される。
【００３７】
ステップ１００において、ページ番号を示すパラメータｎが初期値の１に設定され、次のステップ１０２では、印刷される文書の原稿識別情報を生成し、ステップ１０４において、トレイ２０から搬送された記録用紙ＲＰのＲＦＩＤタグ３０に対し、第２のリーダライタ３６によって、ステップ１０２で生成された原稿識別情報及びページ番号情報としてのｎを書き込む。なお、原稿識別情報は、数字や文字から構成され、例えば、印刷日時を表す複数の数字から構成されている。
【００３８】
そして、ステップ１０６において、画像形成部２６によって、入力された文書データに基づいて、ＲＦＩＤタグ３０にデータが書き込まれた記録用紙ＲＰに文書データのｎページ目を印刷し、ステップ１０８において、入力された文書データに次ページがあるか否かを判定する。次ページがある場合には、ステップ１１０において、ｎをインクリメントし、ステップ１０４へ戻るが、一方、文書データに次ページがない場合には、印刷処理ルーチンを終了する。
【００３９】
次に、ＲＦＩＤタグ付き記録用紙ＲＰが印刷されて生成された複数ページからなる原稿が、ユーザによって原稿置き台１４に置かれ、操作パネル部５０を操作することによって、複数の原稿の連続複写が指示されると、図５に示す複写処理ルーチンが実行される。
【００４０】
まず、ステップ１３０において、読み込み用ページ番号カウンタｎを初期値の１にセットし、ステップ１３２において、次の原稿があるか否かを判定し、原稿置き台１４に原稿が置かれていない場合には、複写処理ルーチンを終了するが、一方、原稿置き台１４に原稿がセットされていると、ステップ１３４において、画像読取部１８によって、原稿を読み取って原稿画像を生成する。
【００４１】
そして、ステップ１３６では、画像読取部１８によって読み取られた原稿に付されたＲＦＩＤタグ３０から、第１のリーダライタ３２によって原稿識別情報及びページ番号情報を読み取り、次のステップ１３８で、読み取られたページ番号情報を格納する変数ｍにＲＦＩＤタグ３０から読み取られたページ番号情報を格納し、ステップ１４０で、読み取られた原稿識別情報を格納する変数ｓｉｄにＲＦＩＤタグ３０から読み取られた原稿識別情報を格納する。
【００４２】
そして、ステップ１４２において、読み込み用ページ番号カウンタｎが１であるか否かを判定し、読み取った原稿が１ページ目である場合には、ステップ１４６へ移行するが、一方、読み取った原稿が２ページ目以降であると、ステップ１４４において、１ページ前の原稿のＲＦＩＤタグ３０から読み取られた原稿識別情報を格納する変数ｌｓｉｄの値と変数ｓｉｄとの値が共通であるか否かを判定し、１ページ前の原稿のＲＦＩＤタグ３０の原稿識別情報と現在読み取り対象となっている原稿のＲＦＩＤタグ３０の原稿識別情報とが共通である場合には、ステップ１４６へ移行するが、一方、１ページ前の原稿の原稿識別情報と現在読み取り対象となっている原稿の原稿識別情報とが異なる場合には、ステップ１４８へ移行する。
【００４３】
ステップ１４６では、読み込み用ページ番号カウンタｎと現在読み取り対象となっている原稿のＲＦＩＤタグ３０のページ番号情報ｍとが同一であるか否かを判定し、同一である場合には、ステップ１５６へ移行するが、現在読み取り対象となっている原稿のページ番号情報が、読み取った原稿のページ番号が昇順となっている場合のページ番号と等しくなる読み込み用ページ番号カウンタｎと同一でない場合には、ステップ１４８へ移行する。
【００４４】
ステップ１４８では、既に後述する警告画面を表示済みであるか否かを判定し、警告画面が表示済みである場合には、ステップ１５６へ移行するが、警告画面がまだ表示されていない場合には、ステップ１５０において、警告画面を操作パネル部５０に表示させる。警告画面には、ステップ１４４において、１ページ前の原稿と現在読み取り対象となっている原稿とで原稿識別情報が異なっていると判定された場合には、他の組の原稿が混入しており、複数の原稿が同じ組の原稿のみから構成されていないことを示す警告メッセージを表示し、ステップ１４６において、現在読み取り対象となっている原稿のページ番号情報が読み込み用ページ番号カウンタｎと同一でない場合には、原稿のページ番号が昇順になっていないことを示す警告メッセージを表示する。また、複写処理を中止するか、又は、複写処理を継続するかを選択させる選択画面も同時に警告画面に表示させる。
【００４５】
次のステップ１５２では、ユーザによって選択指示が入力されたか否かを判定し、ユーザが操作パネル部５０を操作して、複写処理を中止するか、又は、複写処理を継続するかの選択指示を入力すると、ステップ１５４へ進み、複写処理を継続することが選択されたか否かを判定し、ステップ１５２において複写処理の中止が選択された場合には、複写処理ルーチンを終了するが、一方、複写処理の継続が選択された場合には、ステップ１５６へ移行する。
【００４６】
ステップ１５６では、複写対象となる記録用紙ＲＰに付されたＲＦＩＤタグ３０に対して、第２のリーダライタ３６によって、ページ番号情報ｍ及び原稿識別情報ｓｉｄを書き込み、ステップ１５８において、ステップ１３４で生成された原稿画像を、画像形成部２６によって記録用紙ＲＰに複写する。
【００４７】
そして、次のステップ１６０では、変数ｌｓｉｄに現在読み取り対象だった原稿の原稿識別情報を格納し、ステップ１６２において、読み込み用ページ番号カウンタｎをインクリメントして、ステップ１３２へ戻る。
【００４８】
上記のように、読取対象となっている原稿に付されたＲＦＩＤタグ３０の原稿識別情報が共通の原稿識別情報でない場合や、ＲＦＩＤタグ３０のページ番号情報が示すページ番号が昇順になっていない場合には、警告画面が表示される。また、警告画面において、複写処理の継続が選択指示された場合や、読取対象となっている原稿に付されたＲＦＩＤタグ３０の原稿識別情報が全て共通であり、かつ、原稿のページ番号が昇順となっている場合には、読取対象となっている原稿がそのまま記録用紙ＲＰに連続複写されると共に、読取対象となっている原稿のＲＦＩＤタグ３０に記録されている原稿識別情報及びページ番号情報がそのまま記録用紙ＲＰに付与されているＲＦＩＤタグ３０にコピーされて記録される。
【００４９】
以上説明したように、第１の実施の形態に係る複写装置によれば、複数の原稿に付されたＲＦＩＤに記憶された原稿識別情報を読み取り、読み取った原稿識別情報が共通の原稿識別情報でないとき、読取対象の複数の原稿が同じ組に含まれる複数の原稿のみから構成されていないことを示す警告画面を表示することにより、複数の原稿が同じ組の原稿のみから構成されているか否かをユーザが確認する手間を省くことができる。
【００５０】
また、ＲＦＩＤに記憶されたページ番号情報を読み取り、読み取ったページ番号情報のページ番号が昇順になっていないとき、複数の原稿のページ番号が昇順になっていないことを示す警告画面を表示することにより、複数の原稿のページ番号が昇順となっているか否かをユーザが確認する手間を省くことができる。
【００５１】
また、ページ番号は昇順となっているが、異なる組の原稿が混入した複数の原稿を複写しようとした場合でも、本来の同じ組に含まれる原稿とは異なる組の原稿が混入していることを示す警告画面を表示して、ユーザに知らせることが出来る。
【００５２】
また、原稿及び記録用紙にＲＦＩＤタグを付すことにより、原稿識別情報及びページ番号情報の読み書きを高速で容易に実行することができる。
【００５３】
なお、上記の実施の形態では、原稿及び記録用紙にＲＦＩＤタグが付されている場合を例に説明したが、これに限定されるものではなく、ミューチップ、ＩＣタグ、ワイヤータグなど、読み書きが高速で容易に実行可能なメディアを原稿及び記録用紙に付すようにしてもよい。
【００５４】
また、原稿に付されたＲＦＩＤタグに記憶されたページ番号情報のページ番号が昇順になっていないと、警告画面を表示する場合を例に説明したが、昇順になっていなくても降順になっていれば、警告画面を表示しないようにしてもよい。
【００５５】
次に、本発明の第２の実施の形態について説明する。なお、第１の実施の形態と同様の部分については同一符号を付して説明を省略する。
【００５６】
第２の実施の形態では、ユーザの選択によって、原稿の原稿識別情報やページ番号情報とは異なる原稿識別情報及びページ番号情報を記録用紙ＲＰのＲＦＩＤタグ３０に記憶する点が第１の実施の形態と異なっている。
【００５７】
次に、第２の実施の形態の作用について説明する。まず、上記の印刷処理ルーチンによってＲＦＩＤタグ付き記録用紙ＲＰが印刷されて生成された複数ページからなる原稿が、原稿置き台１４に置かれ、ユーザによって複数の原稿の連続複写が指示されると、図６に示す複写処理ルーチンが実行される。
【００５８】
まず、ステップ１３０において、読み込み用ページ番号カウンタｎを初期値の１にセットし、ステップ２００において、書き込み用原稿識別情報を生成して、変数ｄｉｄに格納し、ステップ１３２において、次の原稿があるか否かを判定し、原稿置き台１４に原稿が置かれていない場合には、複写処理ルーチンを終了するが、一方、原稿置き台１４に原稿がセットされていると、ステップ１３４において、原稿を読み取って原稿画像を生成する。
【００５９】
そして、ステップ１３６では、原稿に付されたＲＦＩＤタグ３０から原稿識別情報及びページ番号情報を読み取り、次のステップ１３８で、変数ｍに読み取られたページ番号情報を格納し、ステップ１４０で、変数ｓｉｄに読み取られた原稿識別情報を格納する。
【００６０】
そして、ステップ１４２において、読み込み用ページ番号カウンタｎが１であるか否かを判定し、原稿が１ページ目である場合には、ステップ１４６へ移行するが、一方、原稿が２ページ目以降であると、ステップ１４４において、変数ｌｓｉｄの値と変数ｓｉｄとの値が共通であるか否かを判定し、共通である場合には、ステップ１４６へ移行するが、一方、共通でない場合には、ステップ１４８へ移行する。  
【００６１】
ステップ１４６では、読み込み用ページ番号カウンタｎとページ番号情報ｍとが同一であるか否かを判定し、同一である場合には、ステップ２０６へ移行するが、同一でない場合には、ステップ１４８へ移行する。
【００６２】
ステップ１４８では、既に後述する警告画面を表示済みであるか否かを判定し、警告画面が表示済みである場合には、ステップ２０６へ移行するが、警告画面がまだ表示されていない場合には、ステップ２０２において、警告メッセージを表示した選択画面を操作パネル部５０に表示させる。警告メッセージでは、１ページ前の原稿と原稿識別情報が異なっていると判定された場合に、他の組の原稿が混入しており、複数の原稿が同じ組の原稿のみから構成されていないことを示し、ステップ１４６において、現在読取対象となっている原稿のページ番号情報が読み込み用ページ番号カウンタｎと同一でない場合に、原稿のページ番号が昇順となっていないことを示す。また、選択画面では、記録用紙ＲＰのＲＦＩＤタグ３０に、前ページまでの記録用紙ＲＰとは異なる新しい原稿識別情報を書き込むと共に原稿のページ番号情報と同じページ番号情報を書き込む方法、及び、記録用紙ＲＰのＲＦＩＤタグ３０に、前ページまでの記録用紙ＲＰと同じ原稿識別情報を書き込むと共に複写順にページ番号情報を書き込む方法の何れかを選択させて、記録用紙ＲＰのＲＦＩＤタグ３０に書き込む内容を選択させるようになっている。また、この他に、複写処理を中止させることも選択できるようになっている。
【００６３】
次のステップ２０４では、ユーザによって選択指示が入力されたか否かを判定し、ユーザが操作パネル部５０を操作して、記録用紙ＲＰのＲＦＩＤタグ３０に書き込む内容を選択する指示及び複写処理を中止することを選択する指示の何れかが入力されると、ステップ２０５へ進み、複写処理を中止することが選択されたか否かを判定し、ステップ２０４において複写処理の中止が選択された場合には、複写処理ルーチンを終了するが、一方、記録用紙ＲＰのＲＦＩＤタグ３０に書き込む方法が選択された場合には、ステップ２０６へ移行する。
【００６４】
そして、ステップ２０６では、読み込み用ページ番号カウンタｎが１ではなく、かつ、１ページ前の原稿の原稿識別情報と読取対象となっている原稿の原稿識別情報が同じでないか否かを判定し、判定が否定されると、ステップ２１２へ移行するが、判定が肯定されると、ステップ２０８において、ステップ２０４において、ＲＦＩＤタグ３０に前ページの記録用紙ＲＰとは異なる新しい原稿識別情報を書き込むと共に原稿のページ番号情報と同じページ番号情報を書き込む方法が選択されたか否かを判定し、前ページまでの記録用紙ＲＰと同じ原稿識別情報を書き込むと共に複写順にページ番号情報を書き込む方法が選択されていた場合には、ステップ２１２へ移行するが、一方、判定が肯定された場合には、ステップ２１０において、書き込み用原稿識別情報を新たに生成し、変数ｄｉｄに格納して更新する。
【００６５】
そして、ステップ２１２では、ＲＦＩＤタグ３０に前ページまでの記録用紙ＲＰとは異なる新しい原稿識別情報を書き込むと共に原稿のページ番号情報と同じページ番号情報を書き込む方法が選択されていたか否かを判定し、判定が肯定されると、ステップ２１４において、複写対象となる記録用紙ＲＰに付されたＲＦＩＤタグ３０に対して、第２のリーダライタ３６によって、ページ番号情報ｍ及び原稿識別情報ｄｉｄを書き込む。一方、ステップ２１２の判定が否定された場合には、ステップ２１６において、複写対象となる記録用紙ＲＰに付されたＲＦＩＤタグ３０に対して、読み込み用ページ番号カウンタｎと同じページ番号情報及び原稿識別情報ｄｉｄを書き込む。
【００６６】
次のステップ１５８では、ステップ１３４で生成された原稿画像を、画像形成部２６によって記録用紙ＲＰに複写し、次のステップ１６０では、変数ｌｓｉｄに現在読み取り対象だった原稿の原稿識別情報を格納し、ステップ１６２において、読み込み用ページ番号カウンタｎをインクリメントして、ステップ１３２へ戻る。
【００６７】
上記の複写処理ルーチンを実行することにより、例えば、図７に示すように、一組の原稿を並び替えたものを読取対象の原稿とした場合には、記録用紙ＲＰのＲＦＩＤタグ３０への記録内容として、ＲＦＩＤタグ３０に前ページまでの記録用紙ＲＰとは異なる新しい原稿識別情報を書き込むと共に原稿のページ番号情報と同じページ番号情報を書き込む方法が選択されると、複写された記録用紙ＲＰのＲＦＩＤタグ３０には、原稿と同じページ番号情報が記録されている。また、前ページまでの記録用紙ＲＰと同じ原稿識別情報を書き込むと共に複写順にページ番号情報を書き込む方法が選択されると、複写された記録用紙ＲＰのＲＦＩＤタグ３０には、複写順にページ番号情報が記録されている。
【００６８】
また、図８に示すように、二組の原稿から一部の原稿を抜粋して組み合わせたものを原稿とした場合には、ＲＦＩＤタグ３０に前ページまでの記録用紙ＲＰとは異なる新しい原稿識別情報を書き込むと共に原稿のページ番号情報と同じページ番号情報をＲＦＩＤタグ３０に書き込む方法が選択されると、複写された記録用紙ＲＰのＲＦＩＤタグ３０には、二組の原稿の各々に対して異なった原稿識別情報が記録されている。また、前ページまでと同じ原稿識別情報を書き込むと共に複写順にページ番号情報をＲＦＩＤタグ３０に書き込む方法が選択されると、複写された記録用紙ＲＰのＲＦＩＤタグ３０には、全ての同じ原稿識別情報が記録されている。
【００６９】
以上説明したように、第２の実施の形態に係る複写装置によれば、異なる組の原稿が混入している場合や、ページ番号が昇順となっていない場合に、記録用紙に付されたＲＦＩＤタグに書き込む原稿識別情報を共通の原稿識別情報にし、かつ、原稿のページ番号情報に関らず、複写した順番を示すページ番号のページ番号情報を書き込むことにより、ページ番号の順番を故意に変更した原稿を複写する場合や、元々いろいろな組の原稿から抜き出して組み合わせた原稿を複写して、その複写された記録用紙を本発明に係る複写装置で複写する場合に、ページ番号が昇順となっていないことを示す警告メッセージや、同じ組の原稿のみから構成されていないことを示す警告メッセージがユーザの意図に反して表示されてしまう弊害を回避することができる。
【図面の簡単な説明】
【００７０】
【図１】本発明の第１の実施の形態に係る複写装置の構成を示す概略図である。
【図２】本発明の第１の実施の形態に係るＲＦＩＤタグ付き記録用紙の構成を示す概略図である。
【図３】本発明の第１の実施の形態に係る複写装置の電気的構成を示すブロック図である。
【図４】本発明の第１の実施の形態に係る印刷処理ルーチンの内容を示すフローチャートである。
【図５】本発明の第１の実施の形態に係る複写処理ルーチンの内容を示すフローチャートである。
【図６】本発明の第２の実施の形態に係る複写処理ルーチンの内容を示すフローチャートである。
【図７】本発明の第２の実施の形態に係る原稿及び複写された記録用紙のＲＦＩＤタグに記録された原稿識別情報及びページ番号情報の内容の例を示すイメージ図である。
【図８】本発明の第２の実施の形態に係る原稿及び複写された記録用紙のＲＦＩＤタグに記録された原稿識別情報及びページ番号情報の内容のもう一つの例を示すイメージ図である。
【符号の説明】
【００７１】
１０  複写装置
１８  画像読取部
２６  画像形成部
２８  感光体ドラム
３０  ＲＦＩＤタグ
３２、３６  リーダライタ
４０  ＣＰＵ
４２  ＲＡＭ
４４  ＲＯＭ
４６  ハードディスク
５０  操作パネル部
ＲＰ  ＲＦＩＤタグ付き記録用紙
【図１】
2007150573.tif 000003
【図２】
2007150573.tif 000004
【図３】
2007150573.tif 000005
【図４】
2007150573.tif 000006
【図５】
2007150573.tif 000007
【図６】
2007150573.tif 000008
【図７】
2007150573.tif 000009
【図８】
2007150573.tif 000010